(57)【要約】【課題】ファイルアクセス中であっても使用者が通信路の論理接続を切断したいときに切断命令を入力して使用者の操作性を向上させるとともに、ファイルアクセス中には切断動作を保留してファイルの破壊欠落、破壊等を防止するデータ転送装置及びその通信路の論理接続の切断方法を提供するにある。【解決手段】ファイルアクセス命令に基づくデータの転送中にタッチパネル４６により切断命令が入力されたときには、システム制御マイコン５１により切断命令を保留し、切断命令の保留中にファイルアクセス命令に基づくデータの転送が終了したとき、切断命令の保留を解除して通信路の論理接続を切断する。【選択図】        図６
2006185288.tif 000002
【特許請求の範囲】
【請求項１】
データを記憶する記憶手段と、
ホスト装置との間に通信路の論理接続を確立した後、前記ホスト装置からのファイル読み出し命令に従って前記記憶手段に記憶されたデータを読み出し、読み出されたデータを前記通信路を通して前記ホスト装置に転送するとともに、前記ホスト装置からのファイル書き込み命令に従って前記ホスト装置から前記通信路を通して転送されたデータを前記記憶手段に書き込む制御手段と、
前記制御手段により確立された前記通信路の論理接続を切断する切断命令を入力する入力手段とを備え、
前記制御手段は、前記入力手段により入力された前記切断命令に従って前記通信路の論理接続を切断するデータ転送装置であって、
前記制御手段は、前記ファイル読み出し命令または前記ファイル書き込み命令に基づくデータの転送中に前記入力手段により前記切断命令が入力されたとき、前記切断命令を保留し、前記切断命令の保留中に前記ファイル読み出し命令または前記ファイル書き込み命令に基づくデータの転送が終了したとき、前記切断命令の保留を解除して前記通信路の論理接続を切断する、
ことを特徴とするデータ転送装置。
【請求項２】
前記制御手段は、
前記ホスト装置からの前記ファイル読み出し命令または前記ファイル書き込み命令が検出される毎にカウント値がリセットされ、前記ホスト装置により一連のデータを前記ファイル読み出し命令または前記ファイル書き込み命令によりアクセスするのに必要な時間を超える計時時間をカウントするタイマーを有し、
前記タイマーにより前記計時時間がカウントされたとき、前記前記切断命令の保留を解除して前記通信路の論理接続を切断することを特徴とする請求項１記載のデータ転送装置。
【請求項３】
装置の情報を表示する表示手段を有し、
前記制御手段は、前記切断命令が保留されたとき、前記切断命令が保留された旨を表す情報を前記表示手段に表示させることを特徴とする請求項１記載のデータ転送装置。
【請求項４】
前記制御手段は、前記切断命令の保留の解除を開始した後、前記ホスト装置からの前記ファイル読み出し命令または前記ファイル書き込み命令を無視して受け付けないことを特徴とする請求項１記載のデータ転送装置。
【請求項５】
ホスト装置からのファイル読み出し命令に従って記憶手段に記憶されたデータを読み出して前記ホスト装置に転送するとともに、前記ホスト装置からのファイル書き込み命令に従って前記ホスト装置から転送されたデータを前記記憶手段に書き込むように前記ホスト装置との間に確立された通信路の論理接続を切断するデータ転送装置の論理接続の切断方法であって、
前記通信路の論理接続を切断する切断命令を入力する入力ステップと、
前記入力ステップで入力された前記切断命令に従って前記通信路の論理接続を切断する切断ステップとを含み、
前記切断ステップは、
前記ファイル読み出し命令または前記ファイル書き込み命令に基づくデータの転送中に前記入力ステップで前記切断命令が入力されたとき、前記切断命令を保留し、前記切断命令の保留中に前記ファイル読み出し命令または前記ファイル書き込み命令に基づくデータの転送が終了したとき、前記切断命令の保留を解除して前記通信路の論理接続を切断する、
ことを特徴とするデータ転送装置の通信路の論理接続の切断方法。
【請求項６】
前記切断ステップは、
前記ホスト装置からの前記ファイル読み出し命令または前記ファイル書き込み命令が検出される毎にタイマーのカウント値をリセットし、前記ホスト装置により一連のデータを前記ファイル読み出し命令または前記ファイル書き込み命令によりアクセスするのに必要な時間を超える計時時間を前記タイマーによりカウントする計時ステップを含み、
前記計時ステップが終了したとき、前記切断命令の保留を解除して前記通信路の論理接続を切断することを特徴とする請求項５記載のデータ転送装置の通信路の論理接続の切断方法。
【請求項７】
前記切断ステップで前記切断命令が保留されたとき、前記切断命令が保留された旨を表す情報を表示手段に表示する表示ステップを含むことを特徴とする請求項５記載のデータ転送装置の通信路の論理接続の切断方法。
【請求項８】
前記切断ステップで前記切断命令の保留の解除が開始された後、前記ホスト装置からの前記ファイル読み出し命令または前記ファイル書き込み命令を無視して受け付けない命令無視ステップを含むことを特徴とする請求項５記載のデータ転送装置の通信路の論理接続の切断方法。
【発明の詳細な説明】
【技術分野】
【０００１】
本発明は、通信路の論理接続が確立されたホスト装置により記憶媒体に記憶されたデータがアクセスされるデータ通信装置及びその通信路の論理接続の切断方法に関する。
【背景技術】
【０００２】
近年、パーソナルコンピュータ（以下、ＰＣという）とＰＣ周辺装置とを接続するインタフェースとして、ＵＳＢインタフェースが普及している。ＵＳＢインタフェースは、当初、キーボードやマウス等の低速デバイスに使用されていたが、ＵＳＢ仕様２．０にバージョンアップされ、ＨＤＤ（Hard Disk Drive）や光ディスク装置等の大容量記憶装置やプリンタ、スキャナ等の入出力装置、デジタルカメラ等のＡＶ（Audio-Visual）機器に広く使用されている。
【０００３】
ＵＳＢ周辺装置には、ＵＳＢホスト装置によりＵＳＢケーブルを安全に取り外すための操作を行うものと、ＵＳＢ周辺装置によりＵＳＢケーブルを安全に取り外すための操作を行うものとがある。この操作は、ＵＳＢインタフェースの論理接続の切断を意味する。周辺装置側でＵＳＢインタフェースの論理接続の切断するＵＳＢ周辺装置としては、例えばデジタルカメラがある。従来のＵＳＢ対応のデジタルカメラでは、カメラ本体の操作ボタンや液晶パネルと一体的に構成されたタッチパネル等により切断命令を入力してＵＳＢインタフェースの論理接続が切断され、その後、ＵＳＢケーブルがカメラから安全に取り外されていた。
【０００４】
しかしながら、従来のＵＳＢ対応のデジタルカメラでは、前記切断命令が入力されると、ＵＳＢホスト装置からのファイルアクセスに関係なく直ちにＵＳＢインタフェースの論理接続が切断されるため、転送中のデータが破壊される場合があった。
そこで、ＵＳＢホスト装置からのファイルアクセスを監視する従来のＵＳＢ対応のデジタルカメラでは、ファイルアクセス中に切断操作が禁止され、ファイルアクセスの終了後に切断操作の禁止が解除されていた。
【０００５】
図９は、従来のＵＳＢ対応のデジタルカメラの通信路の切断方法の一例を示す図である。
図９に示すように、このデジタルカメラでは、ＵＳＢホスト装置からのファイル書込みコマンド（Ｗ１）が受信されると、切断操作が禁止されるとともに、タイマーがリセットされ、カウントダウンが開始される。タイマーのカウント値が「０」になる前に、ファイル書込みコマンド（Ｗ２）が受信されると、タイマーが再度リセットされ、これにより切断操作の禁止が延長される。そして、カウント値が「０」になると、一連のデータのファイル書込みコマンドの実行が終了したと判定され、これにより切断操作の禁止が解除される。
このようにファイル書込みコマンドが受信されたときには、切断操作が禁止されるので、上記のようなデータの欠落、破壊等が防止される。
【０００６】
このように周辺装置側からＰＣとの間の論理接続を切断するものとしては、特許文献１のファイルサーバ装置が開示されている。
このファイルサーバ装置では、ＰＣによりアクセスされる期間に自動スイッチ２０による電源制御のためのバイパス経路が設定される。そして、バイパス経路の設定後、手動スイッチ２１により電源の切断が入力されたときには、自動スイッチ２０により電源の切断が保留され、ファイル操作が終了すると、自動スイッチ２０により電源が切断される。
【特許文献１】特開平１−２５１１７号公報
【発明の開示】
【発明が解決しようとする課題】
【０００７】
しかしながら、上記特許文献１のファイルサーバ装置は、電源を切断するものであるが、論理接続の切断に関する記載はない。
また、上記のように切断操作が禁止される従来のＵＳＢ対応のデジタルカメラでは、使用者は、液晶パネルに表示されるメッセージ等によりファイルアクセスの終了後を確認した後、切断操作をしなければならず、切断したいときに切断操作ができないという操作の煩わしさを感じていた。
【０００８】
本発明は、このような事情に鑑みなされたものであり、その目的は、ファイルアクセス中であっても使用者が通信路の論理接続を切断したいときに切断命令を入力して使用者の操作性を向上させるとともに、ファイルアクセス中には切断動作を保留してファイルの破壊欠落、破壊等を防止するデータ転送装置及びその通信路の論理接続の切断方法を提供するにある。
【課題を解決するための手段】
【０００９】
上記目的を達成するため、本発明のデータ通信装置は、データを記憶する記憶手段と、ホスト装置との間に通信路の論理接続を確立した後、前記ホスト装置からのファイル読み出し命令に従って前記記憶手段に記憶されたデータを読み出し、読み出されたデータを前記通信路を通して前記ホスト装置に転送するとともに、前記ホスト装置からのファイル書き込み命令に従って前記ホスト装置から前記通信路を通して転送されたデータを前記記憶手段に書き込む制御手段と、前記制御手段により確立された前記通信路の論理接続を切断する切断命令を入力する入力手段とを備え、前記制御手段は、前記入力手段により入力された前記切断命令に従って前記通信路の論理接続を切断するデータ転送装置であって、前記制御手段は、前記ファイル読み出し命令または前記ファイル書き込み命令に基づくデータの転送中に前記入力手段により前記切断命令が入力されたとき、前記切断命令を保留し、前記切断命令の保留中に前記ファイル読み出し命令または前記ファイル書き込み命令に基づくデータの転送が終了したとき、前記切断命令の保留を解除して前記通信路の論理接続を切断することを特徴とする。
また、本発明のデータ転送装置の通信路の論理接続の切断方法は、ホスト装置からのファイル読み出し命令に従って記憶手段に記憶されたデータを読み出して前記ホスト装置に転送するとともに、前記ホスト装置からのファイル書き込み命令に従って前記ホスト装置から転送されたデータを前記記憶手段に書き込むように前記ホスト装置との間に確立された通信路の論理接続を切断するデータ転送装置の論理接続の切断方法であって、前記通信路の論理接続を切断する切断命令を入力する入力ステップと、前記入力ステップで入力された前記切断命令に従って前記通信路の論理接続を切断する切断ステップとを含み、前記切断ステップは、前記ファイル読み出し命令または前記ファイル書き込み命令に基づくデータの転送中に前記入力ステップで前記切断命令が入力されたとき、前記切断命令を保留し、前記切断命令の保留中に前記ファイル読み出し命令または前記ファイル書き込み命令に基づくデータの転送が終了したとき、前記切断命令の保留を解除して前記通信路の論理接続を切断することを特徴とする。
【発明の効果】
【００１０】
本発明によれば、前記ファイル読み出し命令または前記ファイル書き込み命令に基づくデータの転送中に前記入力ステップで前記切断命令が入力されたとき、前記切断命令を保留し、前記切断命令の保留中に前記ファイル読み出し命令または前記ファイル書き込み命令に基づくデータの転送が終了したとき、前記切断命令の保留を解除して前記通信路の論理接続を切断する。
したがって、ファイルアクセス中であっても使用者が切断したいときに切断命令を入力することができるので、使用者の操作性を向上させることができる。また、ファイルアクセス中に切断動作が保留されるので、データの欠落、破壊を防止することができる。
【発明を実施するための最良の形態】
【００１１】
上記目的を達成するため、データ転送装置は、記憶手段、入力手段および制御手段を備える。
記憶手段は、データを記憶する。入力手段は、ホスト装置との間の通信路の論理接続を切断する切断命令を入力する。
制御手段は、ホスト装置との間に通信路の論理接続を確立した後、ホスト装置からのファイル読み出し命令に従って記憶手段に記憶されたデータを読み出し、読み出されたデータを通信路を通してホスト装置に転送するとともに、ホスト装置からのファイル書き込み命令に従って前記ホスト装置から前記通信路を通して転送されたデータを記憶手段に書き込む。
また、制御手段は、ファイル読み出し命令またはファイル書き込み命令に基づくデータの転送中に入力手段により切断命令が入力されたとき、切断命令を保留し、切断命令の保留中に前記ファイル読み出し命令または前記ファイル書き込み命令に基づくデータの転送が終了したとき、前記切断命令の保留を解除して前記通信路の論理接続を切断する。さらに、制御手段は、前記切断命令の保留の解除を開始した後、前記ホスト装置からの前記ファイル読み出し命令または前記ファイル書き込み命令を無視して受け付けない。
【実施例１】
【００１２】
以下、本発明のデータ転送装置及びその通信路の論理接続の切断方法について図面を参照して説明する。
実施例１では、本発明のデータ転送装置を適用したデジタルカメラを例に説明する。
図１は、実施例１のデジタルカメラの接続状態を示す図である。
図１に示すように、デジタルカメラ２０は、ホストＰＣ１０にＵＳＢケーブル３０を介して接続されている。ホストＰＣ１０は、ＵＳＢホスト装置であり、デジタルカメラ２０は、ＵＳＢ周辺装置である。デジタルカメラ２０は、例えばマスストレージクラスおよびイメージングクラス（PictBridge）の２種類のデバイスクラスを選択的に切り替え、ホストＰＣとの間で通信を行う。イメージングクラスのときのホスト装置は、ＰＣ１０ではなく、プリンタである。
【００１３】
図２は、図１に示されるＵＳＢケーブル３０の構成を示す図である。
図２に示すように、ＵＳＢケーブル３０は、ホストＰＣ１０に接続されるＡプラグ３１と、デジタルカメラ２０に接続されるＢプラグ３２とを備える。ＵＳＢケーブル３０は、４本の信号線、すなわちＶＢＵＳ信号線３０Ａ、Ｄ＋信号線３０Ｂ、Ｄ−信号線３０ＣおよびＧＮＤ信号線から構成される。
【００１４】
図３は、通信路の確立方法を示す図である。
ホストＰＣ１０およびデジタルカメラ２０がＵＳＢケーブル３０を介して物理的に接続されると、時刻Ｔ１でホストＰＣ１０により５ＶのＶＢＵＳ信号が供給され、デジタルカメラ２０によりホストＰＣ１０が検出される。次に、時刻Ｔ２でデジタルカメラ２０によりＤ＋信号が３Ｖにプルアップされ、ホストＰＣ１０によりデジタルカメラ２０が検出される。次に、時刻Ｔ３でホストＰＣ１０によりＤ＋信号が０Ｖに戻され、リセットが行われる。次に、時刻Ｔ４でホストＰＣ１０によりＤ＋信号のリセットが解除され、これによりホストＰＣ１０およびデジタルカメラ２０の間の通信路の論理接続が確立される。
一方、通信路の論理接続の切断のときには、デジタルカメラ２０によりＤ＋信号のプルアップが解除され、０ＶのＤ＋信号のタイムアウトにより通信路の論理接続の切断がホストＰＣ１０により検出される。
【００１５】
図４は、図１に示されるデジタルカメラ２０の構成を示す図である。
図４に示すように、デジタルカメラ２０は、カメラブロック４１、メモリーカード４２、メモリーカードコントローラ４３、ＬＣＤパネル４４、ＬＣＤパネルコントローラ４５、タッチパネル４６、キー４７、システム制御マイコン５１、ＲＡＭ５２、ＲＯＭ５３およびＵＳＢコントローラ５４を備える。
【００１６】
カメラブロック４１は、図示しないレンズ、ＣＣＤセンサ、信号処理回路、Ｃｏｄｅｃ回路等を有し、ＣＣＤにより撮影された画像（動画および静止画）信号に種々の画像処理を行い、この画像信号をキー４７（後述）により入力された入力情報に基づいて選択されたフォーマットの画像データに変換する。
メモリーカード４２は、カメラブロック４１のＣＣＤセンサにより撮影された画像を記憶する。メモリーカードコントローラ４３は、メモリーカード４２の動作を制御する。
ＬＣＤパネル４４は、ＣＣＤセンサにより撮影された画像やメモリーカード４２に記憶された画像を表示するとともに、このデジタルカメラの状態情報や設定情報を表示する。ＬＣＤパネルコントローラ４５は、ＬＣＤパネル４４の動作を制御する。
タッチパネル４６は、ＬＣＤパネル４４と一体的に構成され、ＬＣＤパネル４４により表示された操作画面に基づく使用者の操作情報を入力する。キー４７は、操作キー、操作レバー等からなり使用者の操作情報を入力する。
【００１７】
システム制御マイコン５１は、ＬＣＤパネル４４およびキー４７により入力された操作情報に基づいてデジタルカメラ２０の各部を制御する。ＲＡＭ５２は、システム制御マイコン５１の作業用メモリである。ＲＯＭ５３は、システム制御マイコン５１により実行されるプログラムを記憶する。
ＵＳＢコントローラ５４は、通信ケーブル２０を介して接続されたホストＰＣ１０との間の通信制御をシステム制御マイコン５１と協力して行う。
【００１８】
このようなデジタルカメラ２０では、ホストＰＣ１０によりメモリーカード４２がアクセスされる。ホストＰＣ１０によりファイル読み出し命令が発行されたときには、システム制御マイコン５１によりメモリーカード４２からデータが読み出され、読み出されたデータがＵＳＢコントローラ５４によりホストＰＣ１０に送信される。一方、ホストＰＣ１０によりファイル書き込み命令が発行されたときには、ホストＰＣ１０により送信されたデータがＵＳＢコントローラ５４により受信され、受信されたデータがシステム制御マイコン５１によりメモリーカード４２に書き込まれる。
【００１９】
図５は、ファイルアクセスがないときの通信路の切断方法を示す図である。
図５に示すように、ホストＰＣ１０およびデジタルカメラ２０がＵＳＢケーブル３０を介して物理的に接続されると、液晶パネル４４の初期画面６０がＵＳＢ接続画面６１に切り替えられ、その中央部に「マスストレージ接続中」と表示され、その右上部に通信路を切断するための終了ボタン６２が表示される。
ホストＰＣ１０からのファイルアクセスがないときにタッチパネル４６により終了ボタン６２が使用者によりタッチされ、これにより切断命令が入力されると、システム制御マイコン５１により直ちに通信路が切断され、液晶パネル４４が初期画面６０に切り替えられる。
【００２０】
図６は、ファイルアクセス中の通信路の切断方法を示す図である。
図６に示すように、ホストＰＣ１０およびデジタルカメラ２０がＵＳＢケーブル３０を介して物理的に接続されると、液晶パネル４４の初期画面６０がＵＳＢ接続画面６１に切り替えられ、その中央部に「マスストレージ接続中」と表示され、その右上部に通信路を切断するための終了ボタン６２が表示される。
ホストＰＣ１０からのファイルアクセス中にタッチパネル４６により終了ボタン６２が使用者によりタッチされ、これにより切断命令が入力されると、システム制御マイコン５１により通信路の切断動作が保留され、ＵＳＢ接続画面６１の上に重ねて待機メッセージ画面６３が表示される。待機メッセージ画面６３は例えば「パソコンからアクセス中です。しばらくお待ちください。」といったメッセージを表示する。これにより、使用者によりデジタルカメラ２０の動作状態が認識される。
そして、ホストＰＣ１０からのファイルアクセスが終了すると、システム制御マイコン５１により通信路の切断動作の保留が解除され、通信路の切断が行われ、同時に液晶パネル４４のＵＳＢ接続画面６１および待機メッセージ画面６３が初期画面に切り替えられる。
【００２１】
図７は、通信路の切断シーケンスを示す図である。
図７に示すように、システム制御マイコン５１は、ホストＰＣ１０からのファイル書き込み命令（またはファイル読み出し命令）が受信される毎にタイマーのカウント値をリセットし、ホストＰＣ１０により一連のデータをファイル書き込み命令によりアクセスするのに必要な時間を超える計時時間（以下、切断禁止時間という）カウントする。
切断禁止時間は、前後のファイル書き込み命令の時間であるが、この時間は、可変であり、またＵＳＢホスト装置の機種により異なるので、実験により最適な時間を求められる。
【００２２】
まず、ホストＰＣ１０からのファイル書き込み命令（Ｗ１）が受信されると、システム制御マイコン５１によりタイマーがリセットされ、カウント値のダウンカウントが開始される。
ホストＰＣ１０からの書き込みデータの受信中、すなわちファイルアクセス中にタッチパネル４６により通信路の切断命令が入力されると、システム制御マイコン５１によりタイマーのカウント値が検出される。この検出は、タイマーのカウント値が「０」になるまで切断禁止時間より短い検出時間毎に繰り返される。検出時間も実験により最適な時間が求められる。
検出されたタイマーのカウント値が「０」でないときには、ファイルアクセス中と判定され、システム制御マイコン５１により通信路の切断命令の実行が保留される。
【００２３】
次に、ホストＰＣ１０からのファイル書き込み命令（Ｗ２）が受信されると、システム制御マイコン５１によりタイマーがリセットされ、カウント値のダウンカウントが開始される。これにより、切断命令の保留が延長される。
そして、システム制御マイコン５１により検出時間が経過する毎にタイマーのカウント値が検出され、タイマーのカウント値が「０」のときには、ファイルアクセス終了と判定され、システム制御マイコン５１により切断命令の保留が解除され、通信路の切断が行われる。
【００２４】
図８は、ファイルアクセスの命令拒否シーケンスを示す図である。
図８に示すように、システム制御マイコン５１は、通信路の切断命令を解除して切断動作を開始するとき、ホストＰＣ１０からのファイル書き込み命令（またはファイル読み出し命令）が受信されても、受信されたファイル書き込み命令を無視して受け付けない。これにより、切断動作中のわずかな時間におけるファイル書き込み命令の受信を防止し、ファイルの欠落、破壊等を防止する。
【００２５】
このように実施例１によれば、ファイルアクセス命令に基づくデータの転送中にタッチパネル４６により切断命令が入力されたときには、切断命令を保留し、切断命令の保留中にファイルアクセス命令に基づくデータの転送が終了したとき、切断命令の保留を解除して通信路の論理接続を切断する。
したがって、使用者が切断したいときに切断命令を入力することができるので、使用者の操作性を向上させることができる。また、ファイルアクセス中に切断動作が保留されるので、データの欠落、破壊等を防止することができる。
【００２６】
また、ファイルアクセス命令が検出される毎にタイマーのカウント値をリセットし、切断禁止時間をタイマーによりカウントし、切断禁止時間が経過したとき、切断命令の保留を解除して前記通信路の論理接続を切断する。
したがって、タイマーを使用した簡単な構成により切断命令の保留を実現することができる。
【００２７】
また、切断命令が保留されたとき、切断命令が保留された旨を表す情報を液晶パネル４４に表示する。
したがって、使用者にデジタルカメラ２０の動作状態を報知して従来のようにタッチパネル４６の操作を繰り返すのを防止し、操作の煩わしさを解消することができる。
【００２８】
また、切断命令の保留の解除が開始された後、ホストＰＣ１０からのファイルアクセス命令を無視して受け付けないので、データの欠落、破壊等を防止することができる。
【００２９】
なお、実施例１では、ＵＳＢ対応のデジタルカメラ２０を例に説明したが、本発明のデータ通信装置は、ＵＳＢ対応のデータ通信装置に限るものではなく、例えば携帯型のオーディオプレーヤや、携帯電話等の様々な機器が適用される。また、本発明のデータ通信装置が接続されるホスト装置もＰＣに限るものではなく、プリンタ、光ディスク記録再生装置、ハードディスク記録再生装置、テレビ受像機等の様々な機器が適用される。
【図面の簡単な説明】
【００３０】
【図１】実施例１のデジタルカメラの接続状態を示す図である。
【図２】図１に示されるＵＳＢケーブル３０の構成を示す図である。
【図３】通信路の確立方法を示す図である。
【図４】図１に示されるデジタルカメラ２０の構成を示す図である。
【図５】ファイルアクセスがないときの通信路の切断方法を示す図である。
【図６】ファイルアクセス中の通信路の切断方法を示す図である。
【図７】通信路の切断シーケンスを示す図である。
【図８】ファイルアクセスの命令拒否シーケンスを示す図である。
【図９】従来のＵＳＢ対応のデジタルカメラの通信路の切断方法の一例を示す図である。
【符号の説明】
【００３１】
１０……ＰＣ、２０……デジタルカメラ、３０……ＵＳＢケーブル、４１……カメラブロック、４２……メモリーカード、４４……ＬＣＤパネル、４７……ＵＳＢコントローラ、５１……システム制御マイコン。
【図１】
2006185288.tif 000003
【図２】
2006185288.tif 000004
【図３】
2006185288.tif 000005
【図４】
2006185288.tif 000006
【図５】
2006185288.tif 000007
【図６】
2006185288.tif 000008
【図７】
2006185288.tif 000009
【図８】
2006185288.tif 000010
【図９】
2006185288.tif 000011